(57)【要約】  広告提供装置における広告を提供する装置及び方法が提供される。広告提供装置で広告オーディオ信号が受信され録音され、録音された広告オーディオ信号がオーディオデータに変換され、変換されたオーディオデータが格納される。オーディオデータ及びターゲッティング用データは、広告提供装置から広告サーバに送信される。受信されたオーディオデータ及びターゲッティング用データを用いて広告データベース（ＤＢ）に予め格納されている複数の広告情報の中で関連する広告情報が検索される。受信された広告情報は、広告サーバから広告提供装置に送信される。広告情報は、広告提供装置から出力される。
2015507784.tif 000002
【特許請求の範囲】
【請求項１】
移動端末における広告を受信し提供する広告提供装置であって、
広告オーディオ信号を受信し録音し、前記録音された広告オーディオ信号をオーディオデータに変換するオーディオ処理部と、
前記オーディオデータ及びターゲッティング用データを広告サーバに送信し、前記オーディオデータ及び前記ターゲッティング用データに対応する広告情報を前記広告サーバから受信する送受信部と、
前記受信された広告情報を出力する出力部と、
前記オーディオ処理部が前記広告オーディオ信号を録音するように制御し、前記オーディオデータ及び前記ターゲッティング用データを前記広告サーバに送信するように制御する制御部と
を有することを特徴とする広告提供装置。
【請求項２】
前記ターゲッティング用データは、端末情報、ユーザ情報、及び位置情報の中の少なくとも１つを有することを特徴とする請求項１に記載の広告提供装置。
【請求項３】
前記広告オーディオ信号は、テレビジョン（ＴＶ）、パーソナルコンピュータ（ＰＣ）、及びラジオの中のいずれか１つに対応する広告媒体から出力される広告に対するオーディオ信号であることを特徴とする請求項１に記載の広告提供装置。
【請求項４】
ユーザからの入力を受信するユーザ入力部をさらに有し、
前記制御部は、前記ユーザからの入力が前記ユーザ入力部への予め定められた入力であるか否かにより前記広告オーディオ信号を受信し録音するようにオーディオプロセッサを制御することを特徴とする請求項１に記載の広告提供装置。
【請求項５】
前記ユーザ入力部は、前記広告提供装置を通して前記ユーザにより実行されたモーションを認識するモーション認識部を有し、前記予め定められた入力は、前記移動端末を振っているモーションであることを特徴とする請求項４に記載の広告提供装置。
【請求項６】
前記広告情報は、動画像、写真、テキスト、ウェブサイト、ユニフォームリソースロケータ（ＵＲＬ）情報、及びアプリケーション情報の中の少なくともいずれか１つを有することを特徴とする請求項１に記載の広告提供装置。
【請求項７】
広告提供装置における広告を提供する方法であって、
前記広告提供装置で広告オーディオ信号を受信し録音し、前記録音された広告オーディオ信号をオーディオデータに変換し格納するステップと、
前記広告提供装置からの前記オーディオデータ及びターゲッティング用データを広告サーバに送信し、前記オーディオデータ及び前記ターゲッティング用データに対応する広告情報を前記広告サーバから受信するステップと、
前記広告提供装置から前記広告情報を出力するステップと
を有することを特徴とする広告提供装置における広告を提供する方法。
【請求項８】
前記広告提供装置でユーザからの入力を受信するステップをさらに有し、
前記ユーザからの入力が予め定められた入力であるか否かにより前記広告提供装置で前記広告オーディオ信号を受信し録音することを特徴とする請求項７に記載の広告提供装置における広告を提供する方法。
【請求項９】
前記ユーザからの入力を受信するステップは、
前記広告提供装置で前記ユーザにより実行されたモーションを受信するステップを有し、
前記予め定められたモーションは、予め定められた入力であることを特徴とする請求項８に記載の広告提供装置における広告を提供する方法。
【請求項１０】
前記予め定められたモーションを認識するステップは、
前記広告提供装置が待機画面を表示している間に、前記ユーザによるモーション動作があるか否かを判定するステップと、
前記ユーザによるモーション動作が前記予め定められたモーションであるか否かを判定するステップと
を有することを特徴とする請求項９に記載の広告提供装置における広告を提供する方法。
【請求項１１】
広告を広告提供装置に提供する広告サーバであって、
前記広告提供装置からオーディオデータ及びターゲッティング用データを受信し、前記ターゲッティング用データに対応するターゲッティング情報を受信し、前記オーディオデータ及び前記ターゲッティング用データに対応する広告情報を前記広告提供装置に送信する送受信部と、
広告データベース（ＤＢ）に予め格納されている複数の広告情報の中で前記オーディオデータ及び前記ターゲッティング情報に対応する前記広告情報を検索する広告情報提供部と
を有することを特徴とする広告サーバ。
【請求項１２】
前記受信されたオーディオデータに対応するインデックス情報を抽出するインデックス情報抽出部をさらに有し、
前記広告情報提供部は、予め格納されている複数の広告情報の中で前記インデックス情報及び前記ターゲッティング情報に対応する広告情報を前記広告データベースから検索することを特徴とする請求項１１に記載の広告サーバ。
【請求項１３】
前記送受信部は、オーディオサーバから前記オーディオデータに対応するインデックス情報を受信し、
前記広告情報提供部は、予め格納されている複数の広告情報の中で前記インデックス情報及び前記ターゲッティング情報に対応する広告情報を前記広告データベースから検索することを特徴とする請求項１１に記載の広告サーバ。
【請求項１４】
広告サーバにおける広告提供装置に広告を提供する方法であって、
前記広告提供装置からオーディオデータ及びターゲッティング用データを受信するステップと、
前記受信されたオーディオデータ及び前記ターゲッティング用データを用いて広告データベース（ＤＢ）に予め格納されている複数の広告情報の中で関連する広告情報を受信するステップと、
前記受信された広告情報を前記広告提供装置に送信するステップと
を有することを特徴とする広告サーバにおける広告提供装置に広告を提供する方法。
【請求項１５】
前記ターゲッティング用データは、端末情報、ユーザ情報、及び位置情報の中の少なくとも１つを有することを特徴とする請求項１４に記載の広告サーバにおける広告提供装置に広告を提供する方法。
【発明の詳細な説明】
【技術分野】
【０００１】
本発明は、広告を提供する広告提供装置及び方法に関し、特に、オーディオ信号を用いて広告を提供する広告提供装置及び方法に関する。
【背景技術】
【０００２】
移動端末の頻繁な使用のために移動端末を介して広告を提供することにより収益を生み出そうとする色々な努力が進んでいる。
【０００３】
移動端末を介して広告を提供する従来の方法は、例えば、クーポン、マイレージ、又は割引サービスなどを含む広告物をテキスト又はイメージの形態で製作し、この製作された広告物を移動端末に一方的に伝達する。他の従来の方法は、予め製作されたモバイル広告サイトをユーザに認識させた後に、ユーザが移動端末を介して直接モバイル広告サイトを訪問するようにする。もう１つの従来の方法において、ユーザは、移動端末を用いて視覚広告情報（例えば、クイックレスポンスコード（ＱＲコード（登録商標））など）を認識するか又は取得することにより広告の送信を要請した後に、この要請された広告を受信することができる。
【０００４】
しかしながら、これらの従来の広告提供方法の中で、広告を一方的に届けるプッシュ（push）方法は、ユーザに不必要な広告を受けさせるという問題点がある。また、予め製作されたモバイル広告サイトを通して広告を提供する方式は、ユーザがモバイル広告サイトを直接検索してアクセスしなければならないという問題点がある。さらに、ＱＲコードのような視覚的な広告情報を用いて広告の送信を要請する場合にも、ユーザは、移動端末に載せられたカメラを動作させることにより視覚広告情報を撮影し、この撮影された視覚広告情報を送信するなどのように、広告を受信するために移動端末を数回操作する必要があるという不便な問題点がある。
【０００５】
一方、最近の移動端末技術及び各種認識技術の発展は、移動端末が音声又はオーディオ信号を認識するか、又はモーションを認識できるようにする。音声又はオーディオ認識技術は、ユーザの音声又はオーディオ信号を認識し、対応する音声又はオーディオ信号をテキストに変換するか、又は対応する音声又はオーディオ信号に対応する命令を認識できる。また、モーション認識技術は、移動端末のモーションを感知し、この感知されたモーションに対応する命令を認識し、これに対応する機能を実行するために使用される。これらの技術は、移動端末がユーザにより操作されないとしても、特定の機能を実行するか又は音声又はモーションを認識することにより特定の命令を認識するようにするので、幅広く使用されている。
【発明の概要】
【発明が解決しようとする課題】
【０００６】
本発明の目的は、少なくとも上述した問題点及び／又は不都合に取り組み、少なくとも以下の利便性を提供することにある。すなわち、本発明の目的は、ユーザがキー入力又はタッチ入力で移動端末を操作することなしにモーション認識を通して広告を受信できるように、モーション認識を用いて広告を提供する広告提供装置及び方法を提供することにある。
【０００７】
本発明の他の目的は、ユーザがテレビジョン（ＴＶ）、パーソナルコンピュータ（ＰＣ）又はラジオのような媒体を通して広告に対応するオーディオ信号を聴取する間にオーディオ信号を用いて対応する広告を受信することができる広告提供装置及び方法を提供することにある。
【課題を解決するための手段】
【０００８】
上記のような目的を達成するために、本発明の一態様によれば、移動端末における広告を受信し提供する広告提供装置が提供される。上記広告提供装置は、広告オーディオ信号を受信し録音し、上記録音された広告オーディオ信号をオーディオデータに変換するオーディオ処理部と、上記オーディオデータ及びターゲッティング用データを広告サーバに送信し、上記オーディオデータ及び上記ターゲッティング用データに対応する広告情報を上記広告サーバから受信する送受信部と、上記受信した広告情報を出力する出力部と、上記オーディオ処理部が上記広告オーディオ信号を録音するように制御し、上記オーディオデータ及び上記ターゲッティング用データを上記広告サーバに送信するように制御する制御部と、を有することを特徴とする。
【０００９】
本発明の他の態様によれば、広告提供装置における広告を提供する方法が提供される。上記方法は、上記広告提供装置で広告オーディオ信号を受信し録音し、上記録音された広告オーディオ信号をオーディオデータに変換し格納するステップと、上記広告提供装置からの上記オーディオデータ及びターゲッティング用データを広告サーバに送信し、上記オーディオデータ及び上記ターゲッティング用データに対応する広告情報を上記広告サーバから受信するステップと、上記広告提供装置から上記広告情報を出力するステップと、を有することを特徴とする。
【００１０】
本発明のさらに他の態様によれば、広告を広告提供装置に提供する広告サーバが提供される。上記広告サーバは、上記広告提供装置からオーディオデータ及びターゲッティング用データを受信し、上記ターゲッティング用データに対応するターゲッティング情報を受信し、上記オーディオデータ及び上記ターゲッティング用データに対応する広告情報を上記広告提供装置に送信する送受信部と、広告データベース（ＤＢ）に予め格納されている複数の広告情報の中で上記オーディオデータ及び上記ターゲッティング情報に対応する上記広告情報を検索する広告情報提供部と、を有することを特徴とする。
【００１１】
本発明のさらなる他の態様によれば、広告サーバにおける広告提供装置に広告を提供する方法が提供される。上記方法は、上記広告提供装置からオーディオデータ及びターゲッティング用データを受信するステップと、上記受信したオーディオデータ及び上記ターゲッティング用データを用いて広告データベース（ＤＢ）に予め格納されている複数の広告情報の中で関連する広告情報を受信するステップと、上記受信した広告情報を上記広告提供装置に送信するステップとを有することを特徴とする。
【発明の効果】
【００１２】
本発明の実施形態に従うと、ＴＶ、ＰＣ、及びラジオのような媒体を介して広告を聴取する間に、ユーザは、広告に含まれたオーディオ信号を用いて対応する広告情報を移動端末１００を介して便利に受信することができる。また、広告代理店は、既存のユーザのクリッキング又はタッチングの代わりに、ユーザが移動端末１００を振っているか、又は動かしていることを認識するモーション認識という新たな方式を既存の広告アクセス方式に導入することにより、新たな広告ビジネスが可能であり、それに従う広告収益創出が可能であるという効果がある。
【００１３】
本発明の実施形態に従うと、オーディオデータからのキーワード検出が広告サーバで実行されることができ、オーディオデータからのキーワード検出は、移動端末でも実行されることができる。また、本発明の実施形態では、広告媒体をＴＶ、ＰＣ、又はラジオだけではなく、オーディオ信号を介した広告が可能な広告媒体であればいずれも可能である。
【図面の簡単な説明】
【００１４】
【図１】本発明の実施形態による移動端末におけるモーション認識を使用して広告を提供する方法を示す図である。
【図２】本発明の実施形態による広告提供システムの構成を示す図である。
【図３】本発明の第１の実施形態による広告提供方法に対する手順を示す図である。
【図４】本発明の第２の実施形態による広告提供方法に対する手順を示す図である。
【図５】本発明の第３の実施形態による広告提供方法に対する手順を示す図である。
【図６】本発明の第４の実施形態による広告提供方法に対する手順を示す図である。
【図７】本発明の第５の実施形態による広告提供方法に対する手順を示す図である。
【図８】本発明の第６の実施形態による広告提供方法に対する手順を示す図である。
【図９】本発明の第７の実施形態による広告提供方法に対する手順を示す図である。
【図１０】本発明の実施形態による広告サーバ、広告ＤＢ、及び課金サーバの構造を示す図である。
【図１１】本発明の実施形態による広告を提供するための移動端末の構造を示す図である。
【図１２】本発明の実施形態による移動端末における広告を提供するための動作を示すフローチャートである。
【図１３Ａ】本発明の実施形態による移動端末におけるユーザの要請により広告オーディオ信号を録音する例を示す図である。
【図１３Ｂ】本発明の実施形態による移動端末における広告情報を出力する例を示す図である。
【発明を実施するための形態】
【００１５】
以下、本発明の好適な実施形態について添付図面を参照しながら詳細に説明する。図面における同様な構成要素に対しては、他の図面に表示されても、同様な参照番号及び符号を付けてある。また、明瞭性及び簡潔性の観点から、本発明に関連した公知の機能や構成に関する具体的な説明が本発明の要旨を不明瞭にすると判断される場合には、その詳細な説明を省略する。
【００１６】
本発明の実施形態は、ＴＶ、ＰＣ、及びラジオのような各種広告媒体から出力される広告オーディオ信号を移動端末を通して録音し、この録音された広告オーディオデータを用いて広告情報を提供する広告提供装置及び方法を提供する。
【００１７】
本発明の実施形態に従って、広告提供装置は、例えば、移動端末などであり、広告オーディオ信号を録音し、この録音された広告オーディオデータに対応する広告情報を要請する。これに応じて、広告サーバは、移動端末で録音された広告オーディオデータに対応する広告情報を移動端末に提供する。また、本発明の実施形態は、この提供された広告情報の課金を実行する課金サーバを提供する。
【００１８】
本発明の実施形態において、広告オーディオ信号は、ＴＶ、ＰＣ、及びラジオのような広告媒体から出力される広告に含まれたオーディオ信号であり得、広告オーディオ信号は、広告媒体と関係なく広告を示す任意のオーディオ信号を含み得る。
【００１９】
図１は、本発明の実施形態による移動端末におけるモーション認識を使用して広告を提供する方法を示す図である。図１を参照すると、広告オーディオ信号がＴＶのような広告媒体１０から出力される間に、移動端末１００のユーザが移動端末１００を振るか又は動かす場合に、移動端末１００は、予め定められたモーションを認識し、モーションが認識されるに従って広告オーディオ信号を録音する。本発明の他の実施形態において、移動端末１００は、モーション認識でない他の方式のユーザ入力（例えば、ユーザによるタッチ入力又はキーパッド入力）などにより広告オーディオ信号を録音することができる。移動端末１００は、録音された広告オーディオ信号に対応する広告情報を広告サーバから受信し、この受信された広告サーバを出力するかまたは提供する。
【００２０】
したがって、ユーザがＴＶのような広告媒体１０を通して広告を視聴する間に、対応する広告に関する詳細な情報又は付加の情報を取得することを希望する場合に、ユーザは、移動端末１００を用いるモーションを取る動作を実行するか、又は広告要請のためのユーザ入力を実行することにより、広告に関する詳細な情報又は付加の情報を受信することができる。
【００２１】
本発明の実施形態による広告を提供する広告提供装置の構成について説明する。図２は、本発明の実施形態による広告提供システムの構成を示す図である。
【００２２】
図２を参照すると、コンテンツプロバイダー５０は、広告コンテンツを提供する。広告コンテンツは、オーディオ広告を含む。コンテンツプロバイダー５０は、広告サーバ３００から広告コンテンツを受信し、この広告コンテンツを広告媒体１０に送信できる。
【００２３】
広告媒体１０は、コンテンツプロバイダー５０からオーディオ信号を含む広告コンテンツを受信し、この受信された広告コンテンツを出力するための広告媒体である。広告媒体１０は、ＴＶ、ＰＣ、又はラジオのようなオーディオ信号を出力できる装置であればいずれも可能である。
【００２４】
移動端末１００は、広告媒体１０により出力される広告オーディオ信号を録音し、この広告オーディオ信号を広告オーディオデータとして格納し、広告オーディオデータを広告サーバ３００に提供する。移動端末１００は、オーディオデータとともにターゲッティング用データを広告サーバ３００に提供できる。この時に、ターゲッティング用データは、端末情報、ユーザ情報、及び位置情報の中の少なくとも１つを含む。端末情報は、移動端末１００のデバイス識別子（ＩＤ）、モデル番号、マニュファクチャラー、オペレーティングシステム（Operating System：ＯＳ）情報、国際移動機器識別子（International Mobile Station Equipment Identity：ＩＭＥＩ）情報（又は端末識別情報）、及びＩＤＦＡ（Identifier For Advertisers）情報（又は端末又はユーザに割り当てられた匿名の番号）の中の少なくとも１つを含み得る。ユーザ情報は、移動端末１００のユーザのユーザ性別、ユーザ年齢、及びユーザアドレスの中の少なくとも１つを含み得る。位置情報は、メディアアクセスコントロール（ＭＡＣ）アドレス情報、Ｃｅｌｌ−ＩＤ、移動端末１００のＧＰＳ情報の中の少なくともいずれか１つを含み得る。移動端末１００は、通信ネットワーク１５０を通して広告サーバ３００から広告情報を受信し、この広告情報を出力する。例えば、移動端末１００は、受信された広告情報に対応する広告画面を表示するか、又はこの受信された広告情報に対応する広告オーディオ信号を出力する。このように、移動端末１００は、広告情報をユーザに提供できる。同時に、移動端末１００は、広告提供結果を課金サーバ４００に提供することにより、課金サーバ４００がこの提供された広告に対して課金する。
【００２５】
広告サーバ３００は、少なくとも１つ以上の広告主５００により提供される広告情報を受信し、この広告情報を広告データベース（Data Base：ＤＢ）３５０に格納する。広告サーバ３００は、通信ネットワーク１５０を通して移動端末１００から広告オーディオデータを受信するか、又は広告オーディオデータとともにターゲッティング用データを受信し、広告オーディオデータに対応する広告情報又は広告オーディオデータ及びターゲッティング情報に対応する広告情報を広告ＤＢ３５０から受信し、これらを移動端末１００に提供する。この時に、移動端末１００と同様に、広告サーバ３００も広告提供結果を課金サーバ４００に提供することにより、課金サーバ４００がこの提供された広告に対して課金する。
【００２６】
広告ＤＢ３５０は、少なくとも１つ以上の広告主５００が広告することを希望する広告に関する広告情報を格納する。広告情報は、広告データ（例えば、各広告のコンテンツを表現するために使用される動画像、写真、テキスト、ウェブサイトアドレス、ＵＲＬ情報、及びアプリケーション情報）と、広告別カテゴリーと、広告別キーワードと、広告別キーワードに対する類似キーワード及び推薦キーワードとを含む。広告ＤＢ３５０は、キーワード又はインデックス情報、あるいは広告音源に対応する広告データを広告サーバ３００に提供する。キーワードに対応する広告データがない場合に、広告ＤＢ３５０は、キーワードが属する広告カテゴリーに対応する類似キーワードを広告サーバ３００に提供する。
【００２７】
広告音源ＤＢ３６０は、少なくとも１つ以上の広告に対する広告音源を格納する。ここで使用される用語‘広告音源’は、ある広告に含まれるオーディオの一部又は全部に対応する音源を意味する。広告音源ＤＢ３６０は、対応する広告の広告主情報と関連して広告音源を格納するか、対応する広告の広告題目と関連して広告音源を格納するか、又は、対応する広告に対するコンテンツと関連して広告音源を格納することができる。
【００２８】
インデックス情報ＤＢ３７０は、少なくとも１つ以上の広告に関するインデックス情報を格納する。ここで使用される用語‘インデックス情報’は、ある広告に対応するオーディオデータを区別するか又は識別するために提供されるインデックス情報を意味する。インデックス情報ＤＢ３７０は、対応する広告の広告主情報、広告題目、又はコンテンツと関連してインデックス情報を格納することができる。
【００２９】
ターゲッティング情報ＤＢ３８０は、少なくとも１つの広告に関するターゲッティング情報を格納する。ここで使用される用語‘ターゲッティング情報’は、広告プロバイダーが広告を提供するターゲットに関する情報を意味する。例えば、本発明の実施形態において、ターゲッティング用データ（すなわち、端末情報、ユーザ情報、及び位置情報の中の少なくとも１つ）に基づいて移動端末１００又はその移動端末１００のデバイスユーザがどんな種類のターゲットに属するかを判定することができ、このような情報は、ターゲッティング情報であり得る。例えば、端末情報及びユーザ情報がスマートフォンを使用する２０代の女性ユーザを示す場合に、ターゲッティング情報は、スマートフォン及び／又は２０代の女性をターゲッティングする広告を示す情報であり得る。ターゲッティング情報ＤＢ３８０は、予め格納されているターゲッティング情報の中でデバイスＩＤ及びユーザ情報に対応するターゲッティング情報を抽出し、この抽出されたターゲッティング情報を広告サーバ３００に提供する。
【００３０】
課金サーバ４００は、広告情報提供に関連した課金政策情報を格納し、課金政策情報に基づいて広告情報提供に対する課金を実行する。例えば、課金サーバ４００は、ユーザがモーション認識又はユーザ入力を通して広告を受信したか否かに基づいて異なる課金政策情報を格納した後に、この課金政策情報に基づいて広告情報提供に対する課金を実行する。
【００３１】
以下、上述した広告提供装置においてモーション認識を用いて広告を提供するための方法についてより詳細に説明する。本発明の実施形態に従って、モーション認識を用いて広告を提供するための方法は、様々な異なる方式で具現されることができる。下記では、本発明の第１乃至第７の実施形態についてより詳細に説明する。
【００３２】
まず、本発明の第１の実施形態に従う広告提供方法において、移動端末１００が広告媒体１０から出力される広告オーディオを録音し、この広告オーディオを広告サーバ３００に送信する場合に、広告サーバ３００は、広告オーディオデータを受信し、この広告オーディオデータに対応する広告音源を抽出し、広告音源に対応する広告情報を移動端末１００に提供する。
【００３３】
図３は、本発明の第１の実施形態による広告提供方法に対する手順を示す図である。
【００３４】
図３を参照すると、コンテンツプロバイダー５０は、ステップ２０２において、広告（ＡＤ）コンテンツを広告媒体１０に提供する。ステップ２０４において、広告媒体１０は、コンテンツプロバイダー５０から提供された広告コンテンツに含まれた広告オーディオを出力する。
【００３５】
移動端末１００は、ステップ２０６において、広告媒体１０から出力される広告オーディオを録音し、この録音された広告オーディオデータを格納する。
【００３６】
例えば、移動端末１００は、待機画面状態で予め定められたモーションが認識されるか否かを判定する。予め定められたモーションが認識される場合に、移動端末１００は、広告を提供するための広告アプリケーションを実行することにより広告オーディオ信号を録音できる。
【００３７】
他の例において、移動端末１００は、広告アプリケーションが実行されている間に予め定められたモーションが認識されるか否かを判定する。この予め定められたモーションが認識される場合に、移動端末１００は、広告オーディオ信号を録音する。
【００３８】
もう１つの例において、移動端末１００は、キー入力又はタッチ入力のようなユーザ入力に基づく広告アプリケーションを実行することにより予め定められたモーションが認識されるか否かを判定する。この予め定められたモーションが認識される場合に、移動端末１００は、広告オーディオ信号を録音する。
【００３９】
上記したように、広告オーディオ信号を録音した後に、移動端末１００は、ステップ２０８において、この録音された広告オーディオデータを広告サーバ３００に送信する。
【００４０】
本発明の実施形態に従って、移動端末１００は、予め定められた時間単位（例えば、１０秒）の間隔でこの録音された広告オーディオ信号を高速フーリエ変換（Fast Fourier Transform：ＦＦＴ）処理を行うことにより周波数帯域内の広告オーディオ信号に変換する。移動端末１００は、この変換された広告オーディオ信号をハッシュ関数を用いて符号化し、この符号化された広告オーディオデータをＢＡＳＥ６４圧縮方式を用いて圧縮し、この符号化され圧縮された広告オーディオデータを広告サーバ３００に送信する。また、本発明の他の実施形態に従って、移動端末１００は、この録音された広告オーディオ信号の波形を示す広告オーディオデータを広告サーバ３００に直接送信する。
【００４１】
広告サーバ３００は、広告オーディオデータを受信すると、ステップ２１０において、少なくとも１つの広告音源を格納する広告音源ＤＢ３６０から広告オーディオデータに対応する広告音源を抽出する。本発明の実施形態に従って、この符号化され圧縮された広告オーディオデータを移動端末１００から受信する場合に、広告サーバ３００は、この符号化され圧縮された広告オーディオデータの圧縮を解除し、この圧縮が解除された広告オーディオデータを広告オーディオ信号に復号化（又は復元）した後に、この復元された広告オーディオ信号に対応する広告音源を広告音源ＤＢ３６０から抽出できる。本発明の他の実施形態に従って、広告オーディオ信号の波形を移動端末１００から受信する場合に、広告サーバ３００は、広告音源ＤＢ３６０から広告オーディオ信号の波形に対応する広告音源を抽出する。
【００４２】
広告音源が抽出される場合に、広告サーバ３００は、ステップ２１２において、広告音源に対応する広告情報を広告ＤＢ３５０に要請する。広告サーバ３００は、広告音源に関する広告主情報又は広告題目に対応する広告情報を要請する。
【００４３】
広告ＤＢ３５０は、ステップ２１４において、広告音源に対応する広告情報を広告サーバ３００に提供する。広告ＤＢ３５０は、広告音源に関する広告主情報にマッチングされた広告情報を広告サーバ３００に提供するか、又は広告音源に対する広告題目にマッチングされた広告情報を広告サーバ３００に提供する。
【００４４】
広告サーバ３００は、ステップ２１６において、広告ＤＢ３５０から提供された広告情報を受信し、この受信された広告情報を移動端末１００に配信する。
【００４５】
広告サーバ３００から広告情報を受信すると、移動端末１００は、ステップ２１８において、広告情報を出力する。例えば、移動端末１００は、この受信した広告情報に対応する動画像、写真、テキスト、ウェブサイトアドレス、ＵＲＬ情報、及びアプリケーション情報などを出力することにより広告情報をユーザに提供する。
【００４６】
広告情報を提供した後に、移動端末１００は、ステップ２２０において、広告情報をユーザに提供することを課金サーバ４００に通知する。他の例として、広告サーバ３００が広告情報を移動端末１００に提供した後に、広告サーバ３００は、広告情報を移動端末１００に提供することを課金サーバ４００に通知し得る。ステップ２２２において、課金サーバ４００は、移動端末１００の広告提供に対する課金を実行する。このとき、課金サーバ４００は、広告がモーション認識により提供されたか、又はユーザ入力により提供されたかのような提供方式により異なる課金政策に従って課金を実行することができる。
【００４７】
一方、本発明の第２の実施形態に従って、移動端末１００が広告媒体１０から出力された広告オーディオを録音し、この録音された広告オーディオを広告サーバ３００に送信する場合に、広告サーバ３００は、広告オーディオデータを受信し、広告オーディオデータに対応するキーワードを抽出し、キーワードに対応する広告情報を移動端末１００に提供する。
【００４８】
図４は、本発明の第２の実施形態による広告提供方法に対する手順を示す図である。
【００４９】
図４を参照すると、コンテンツプロバイダー５０は、ステップ３０２において、広告コンテンツを広告媒体１０に提供する。広告媒体１０は、ステップ３０４において、コンテンツプロバイダー５０から提供された広告コンテンツに含まれた広告オーディオを出力する。
【００５０】
移動端末１００は、ステップ３０６において、広告媒体１０から出力される広告オーディオを録音し、この録音された広告オーディオデータを格納する。
【００５１】
例えば、移動端末１００は、待機画面状態で予め定められたモーションが認識されるか否かを判定する。予め定められたモーションが認識される場合に、移動端末１００は、広告を提供するための広告アプリケーションを実行することにより広告オーディオ信号を録音できる。
【００５２】
他の例において、移動端末１００は、広告アプリケーションが実行されている間に、予め定められたモーションが認識されるか否かを判定する。予め定められたモーションが認識される場合に、移動端末１００は、広告オーディオ信号を録音できる。
【００５３】
もう１つの例において、移動端末１００は、キー入力又はタッチ入力のようなユーザ入力により広告アプリケーションを実行することにより、予め定められたモーションが認識されるか否かを判定する。予め定められたモーションが認識される場合に、移動端末１００は、広告オーディオ信号を録音できる。
【００５４】
広告オーディオ信号を録音した後に、移動端末１００は、ステップ３０８において、録音された広告オーディオデータを広告サーバ３００に送信する。
【００５５】
広告オーディオデータを受信すると、広告サーバ３００は、ステップ３１０において、広告オーディオデータを用いてキーワードを抽出する。広告サーバ３００は、広告オーディオデータをテキストデータに変換し、変換されたテキストデータから広告検索のためのキーワードを抽出する。
【００５６】
キーワードを検出した後に、広告サーバ３００は、ステップ３１２において、広告ＤＢ３５０からキーワードに対応する広告情報を要請する。
【００５７】
広告ＤＢ３５０は、ステップ３１４において、キーワードに対応する広告情報又はキーワードに対応する類似キーワードを提供する。具体的に、本発明の実施形態に従って、広告ＤＢ３５０は、少なくとも１人の広告主５００が広告することを希望する広告に関する広告情報を格納する。広告情報は、広告データ（例えば、各広告のコンテンツを表現するために使用される動画像、写真、テキスト、ウェブサイトアドレス、ＵＲＬ情報、及びアプリケーション情報のような広告を示すための広告データ）と、広告別カテゴリーと、広告別キーワードと、広告別キーワードに対する類似キーワード及び推薦キーワードとを含み得る。広告ＤＢ３５０は、キーワードに対応する広告データを広告サーバ３００に提供する。キーワードに対応する広告データがない場合に、広告ＤＢ３５０は、キーワードが属する広告カテゴリーに対応する類似キーワードを広告サーバ３００に提供する。
【００５８】
広告サーバ３００は、ステップ３１６において、広告情報が広告ＤＢ３５０から提供されるか否かを判定する。広告情報でない広告カテゴリーに属する類似キーワードが受信される場合に、広告サーバ３００は、ステップ３１２に戻り、キーワードに対応する広告情報を要請する。
【００５９】
しかしながら、広告情報を受信する場合に、広告サーバ３００は ステップ３１８において、広告情報を移動端末１００に配信する。移動端末１００は、広告情報を広告サーバ３００から受信する場合に、ステップ３２０において、広告情報を出力する。例えば、移動端末１００は、受信された広告情報に対応する動画像、写真、テキスト、ウェブサイトアドレス、ＵＲＬ情報、及びアプリケーション情報などを出力することにより、広告情報をユーザに提供する。
【００６０】
広告情報を提供した後に、移動端末１００は、ステップ３２２において、広告情報をユーザに提供することを課金サーバ４００に通知する。他の例として、広告サーバ３００が広告情報を移動端末１００に提供した後に、広告サーバ３００は、広告情報を移動端末１００に提供することを課金サーバ４００に通知し得る。課金サーバ４００は、ステップ３２４において、移動端末１００のモーション認識に基づく広告提供に対する課金を実行する。このとき、課金サーバ４００は、広告がモーション認識により提供されたか、又はユーザ入力により提供されたかのような提供方式により異なる課金政策に従って課金を実行することができる。
【００６１】
一方、本発明の第３の実施形態に従って、移動端末１００が広告媒体１０から出力された広告オーディオを録音し、この録音された広告オーディオを広告サーバ３００に送信する場合に、広告サーバ３００は、広告オーディオデータを受信し、広告オーディオデータに対応するインデックス情報を検出し、インデックス情報に対応する広告情報を移動端末１００に提供する。
【００６２】
図５は、本発明の第３の実施形態による広告提供方法に対する手順を示す図である。
【００６３】
図５を参照すると、広告サーバ３００は、ステップ４０２において、広告インデックスで区別されるか又は識別されることができる広告を含む広告コンテンツをコンテンツプロバイダー５０に提供する。
【００６４】
コンテンツプロバイダー５０は、ステップ４０４において、広告コンテンツを広告媒体１０に提供する。広告媒体１０は、ステップ４０６において、コンテンツプロバイダー５０から提供された広告コンテンツに含まれた広告オーディオを出力する。
【００６５】
移動端末１００は、ステップ４０８において、広告媒体１０から出力される広告オーディオを録音し、録音された広告オーディオデータを格納する。
【００６６】
例えば、移動端末１００は、待機画面状態で予め定められたモーションが認識されるか否かを判定する。予め定められたモーションが認識される場合に、移動端末１００は、広告を提供するための広告アプリケーションを実行することにより広告オーディオ信号を録音できる。
【００６７】
他の例において、移動端末１００は、広告アプリケーションが実行されている間に、予め定められたモーションが認識されるか否かを判定する。予め定められたモーションが認識される場合に、移動端末１００は、広告オーディオ信号を録音できる。
【００６８】
もう１つの例において、移動端末１００は、キー入力又はタッチ入力のようなユーザ入力により広告アプリケーションを実行することにより、予め定められたモーションが認識されるか否かを判定する。予め定められたモーションが認識される場合に、移動端末１００は、広告オーディオ信号を録音できる。
【００６９】
広告オーディオ信号を録音した後に、移動端末１００は、ステップ４１０において、録音された広告オーディオデータを広告サーバ３００に送信する。
【００７０】
広告オーディオデータを受信すると、広告サーバ３００は、ステップ４１２において、少なくとも１つのインデックスに関する情報を格納しているインデックス情報ＤＢ３７０から広告オーディオデータに対応するインデックス情報を抽出する。本発明の実施形態に従って、符号化され圧縮された広告オーディオデータが移動端末１００から受信される場合に、広告サーバ３００は、符号化され圧縮された広告オーディオデータの圧縮を解除し、圧縮が解除された広告オーディオデータを広告オーディオ信号に復号化（すなわち、復元）した後に、復号化された広告オーディオ信号に対応するインデックス情報をインデックス情報ＤＢ３７０から抽出できる。また、本発明の他の実施形態に従って、広告オーディオ信号の波形が移動端末１００から受信される場合に、広告サーバ３００は、広告オーディオ信号の波形に対応するインデックス情報をインデックス情報ＤＢ３７０から抽出できる。
【００７１】
インデックス情報が抽出される場合に、広告サーバ３００は、ステップ４１４において、インデックス情報に対応する広告情報を広告ＤＢ３５０に要請する。広告ＤＢ３５０は、ステップ４１６において、広告インデックスに対応する広告情報を広告サーバ３００に提供する。このとき、広告ＤＢ３５０は、広告インデックスに関する広告主情報にマッチングされた広告情報を広告サーバ３００に提供するか、又は広告インデックスに対する広告題目にマッチングされた広告情報を広告サーバ３００に提供できる。
【００７２】
広告サーバ３００は、ステップ４１８において、広告ＤＢ３５０から提供された広告情報を受信し、受信された広告情報を移動端末１００に配信する。
【００７３】
移動端末１００は、広告情報を広告サーバ３００から受信する場合に、ステップ４２０において、広告情報を出力する。例えば、移動端末１００は、受信された広告情報に対応する動画像、写真、テキスト、ウェブサイトアドレス、ＵＲＬ情報、及びアプリケーション情報などを出力することにより、広告情報をユーザに提供する。
【００７４】
広告情報を提供した後に、移動端末１００は、ステップ４２２において、広告情報をユーザに提供することを課金サーバ４００に通知する。他の例として、広告サーバ３００が広告情報を移動端末１００に提供した後に、広告サーバ３００は、広告情報を移動端末１００に提供することを課金サーバ４００に通知し得る。課金サーバ４００は、ステップ４２４において、移動端末１００の広告提供に対する課金を実行する。このとき、課金サーバ４００は、広告がモーション認識により提供されたか、又はユーザ入力により提供されたかのような提供方式により異なる課金政策に従って課金を実行することができる。
【００７５】
一方、本発明の第４の実施形態に従って、移動端末１００がターゲッティング用データ及び広告オーディオデータに対応するインデックス情報を広告サーバ３００に送信する場合に、広告サーバ３００は、ターゲッティング用データに対応するターゲッティング情報及びインデックス情報に対応する広告情報を移動端末１００に提供する。
【００７６】
図６は、本発明の第４の実施形態による広告提供方法に対する手順を示す図である。
【００７７】
図６を参照すると、広告サーバ３００は、ステップ５０２において、インデックス情報で区別されるか又は識別されることができる広告オーディオを含む広告コンテンツをコンテンツプロバイダー５０に提供する。
【００７８】
コンテンツプロバイダー５０は、ステップ５０４において、広告コンテンツを広告媒体１０に提供する。広告媒体１０は、ステップ５０６において、コンテンツプロバイダー５０から提供された広告コンテンツに含まれた広告オーディオを出力する。
【００７９】
移動端末１００は、ステップ５０８において、広告オーディオ信号に対する広告要請に対応するモーションを受信する場合に、広告サーバ３００が予めターゲッティング用データに対応するターゲッティング情報を収集できるようにするために、対応するモーションを認識し、モーション認識結果によりターゲッティング用データを広告サーバ３００に送信する。ここで使用される用語‘ターゲッティング情報’は、広告プロバイダーが広告を提供するターゲットに関する情報を意味する。例えば、本発明の実施形態では、端末情報、ユーザ情報、及び位置情報の中の少なくとも１つを含むターゲッティング用データに基づいて、移動端末１００又はそのデバイスユーザがどんな種類のターゲットに属するかを判定でき、この情報は、ターゲッティング情報であり得る。
【００８０】
例えば、移動端末１００は、待機画面状態で予め定められたモーションが認識されるか否かを判定する。予め定められたモーションが認識される場合に、移動端末１００は、ターゲッティング用データを広告サーバ３００に送信できる。
【００８１】
他の例において、移動端末１００は、広告アプリケーションが実行されている間に、予め定められたモーションが認識されるか否かを判定する。予め定められたモーションが認識される場合に、移動端末１００は、ターゲッティング用データを広告サーバ３００に送信できる。
【００８２】
もう１つの例において、移動端末１００は、キー入力又はタッチ入力のようなユーザ入力により広告アプリケーションを実行することにより、予め定められたモーションが認識されるか否かを判定する。予め定められたモーションが認識される場合に、移動端末１００は、ターゲッティング用データを広告サーバ３００に送信できる。
【００８３】
広告サーバ３００は、ターゲッティング情報を収集するために使用されるターゲッティング用データを受信する場合に、ステップ５１０において、ターゲッティング用データに対応するターゲッティング情報をターゲッティング情報ＤＢ３８０に要請する。
【００８４】
これに応じて、ターゲッティング情報ＤＢ３８０は、ステップ５１２において、予め格納されているターゲッティング情報の中でターゲッティング用データ（すなわち、端末情報、ユーザ情報、及び位置情報の中の少なくとも１つ）に対応するターゲッティング情報を抽出し、対応するターゲッティング情報を広告サーバ３００に提供する。
【００８５】
一方、移動端末１００は、広告サーバ３００がターゲッティング情報を収集できるようにターゲッティング用データを提供した後に、ステップ５１４において、広告媒体１０から出力される広告オーディオを録音し、録音された広告オーディオデータを格納する。
【００８６】
移動端末１００は、ステップ５１６において、広告オーディオデータに対応するインデックス情報を抽出し、ステップ５１８において、抽出されたインデックス情報を広告サーバ３００に送信する。ここで使用される用語‘インデックス情報’は、ある広告に対応するオーディオデータを区別するか又は識別するために提供されるインデックス情報を意味する。移動端末１００は、インデックス情報を対応する広告の広告題目、広告主情報、及びコンテンツの内の少なくとも１つと関連づけてインデックス情報を格納することができる。例えば、インデックス情報は、広告をその広告オーディオデータにマッピングするために使用される識別情報を示し、ＳＯＵＮＤ  ＩＤ、広告ＩＤなどのタイプであり得る。インデックス情報のタイプは、ＳＯＵＮＤ  ＩＤ及び広告ＩＤだけではなく、広告をその広告オーディオデータにマッピングするために使用される情報であればいずれも可能である。
【００８７】
広告サーバ３００は、ターゲッティング情報及び広告オーディオデータに対応するインデックス情報を受信する場合に、ステップ５２０において、インデックス情報及びターゲッティング情報に対応する広告情報を広告ＤＢ３５０に要請する。
【００８８】
広告ＤＢ３５０は、ステップ５２２において、インデックス情報及びターゲッティング情報に対応する広告情報を検索し、対応する広告情報を提供する。
【００８９】
広告サーバ３００は、ステップ５２４において、広告ＤＢ３５０から提供された広告情報を移動端末１００に提供する。
【００９０】
移動端末１００は、広告サーバ３００から広告情報を受信する場合に、ステップ５２６において、広告情報を出力する。例えば、移動端末１００は、受信された広告情報に対応する動画像、写真、テキスト、ウェブサイトアドレス、ＵＲＬ情報、及びアプリケーション情報などを出力することにより、広告情報をユーザに提供する。
【００９１】
広告情報を提供した後に、移動端末１００は、ステップ５２８において、広告情報をユーザに提供することを課金サーバ４００に通知する。 他の例として、広告サーバ３００が広告情報を移動端末１００に提供した後に、広告サーバ３００は、広告情報を移動端末１００に提供することを課金サーバ４００に通知し得る。課金サーバ４００は、ステップ５３０において、予め定められた課金政策に従って移動端末１００の広告提供に対する課金を実行する。このとき、課金サーバ４００は、広告がモーション認識により提供されたか、又はユーザ入力により提供されたかのような提供方式により異なる課金政策に従って課金を実行することができる。
【００９２】
一方、本発明の第５の実施形態に従って、移動端末１００がターゲッティング用データ及び広告オーディオデータを広告サーバ３００に送信する場合に、広告サーバ３００は、ターゲッティング用データを用いてターゲッティング情報を取得し、広告オーディオデータに対応するインデックス情報を抽出し、ターゲッティング情報及びインデックス情報に対応する広告情報を移動端末１００に提供できる。
【００９３】
図７は、本発明の第５の実施形態による広告提供方法に対する手順を示す図である。
【００９４】
図７を参照すると、コンテンツプロバイダー５０は、ステップ７０２において、広告コンテンツを広告媒体１０に提供する。広告媒体１０は、ステップ７０４において、コンテンツプロバイダー５０から提供された広告コンテンツに含まれた広告オーディオを出力する。
【００９５】
移動端末１００は、ステップ７０６において、広告オーディオ信号に対する広告要請に対応するユーザ入力又はモーションを検出する場合に、広告オーディオを録音し、録音された広告オーディオデータを格納する。
【００９６】
移動端末１００は、ステップ７０８において、ターゲッティング用データを抽出する。このとき、ターゲッティング用データは、端末情報、ユーザ情報、及び位置情報の中の少なくとも１つを含み得る。端末情報は、移動端末１００のデバイスＩＤ、モデル番号、マニュファクチュアラ、オペレーティングシステム（ＯＳ）情報、ＩＭＥＩ情報（又は、端末識別情報）、及びＩＤＦＡ情報（又は、端末又はユーザに割り当てられた匿名の番号）の中の少なくとも１つを含み得る。ユーザ情報は、移動端末１００のユーザのユーザ性別、ユーザ年齢、及びユーザアドレスの中の少なくとも１つを含み得る。位置情報は、移動端末１００のＭＡＣアドレス情報、Ｃｅｌｌ−ＩＤ、及びＧＰＳ情報の中の少なくともいずれか１つを含み得る。
【００９７】
移動端末１００は、ステップ７１０において、オーディオデータ及びターゲッティング用データを広告サーバ３００に送信する。
【００９８】
例えば、移動端末１００は、待機画面状態で予め定められたモーションが認識されるか否かを判定する。予め定められたモーションが認識される場合に、移動端末１００は、ターゲッティング用データを広告サーバ３００に送信できる。
【００９９】
他の例において、移動端末１００は、広告アプリケーションが実行されている間に、予め定められたモーションが認識されるか否かを判定する。予め定められたモーションが認識される場合に、移動端末１００は、オーディオデータ及びターゲッティング用データを広告サーバ３００に送信できる。
【０１００】
もう１つの例において、移動端末１００は、キー入力又はタッチ入力のようなユーザ入力により広告アプリケーションを実行することにより、予め定められたモーションが認識されるか否かを判定する。予め定められたモーションが認識される場合に、移動端末１００は、オーディオデータ及びターゲッティング用データを広告サーバ３００に送信できる。
【０１０１】
ターゲッティング用データ及びオーディオデータを受信する場合に、広告サーバ３００は、ステップ７１２において、ターゲッティング用データに対応するターゲッティング情報をターゲッティング情報ＤＢ３８０に要請し、ステップ７１４において、ターゲッティング情報を受信する。この要請に応じて、ターゲッティング情報ＤＢ３８０は、予め格納されているターゲッティング情報の中でターゲッティング用データ（すなわち、端末情報、ユーザ情報、及び位置情報の中の少なくとも１つ）に対応するターゲッティング情報を抽出し、対応するターゲッティング情報を広告サーバ３００に提供する。
【０１０２】
また、広告サーバ３００は、ステップ７１６において、広告オーディオデータに対応するインデックス情報を抽出する。ここで使用される用語‘インデックス情報’は、ある広告に対応するオーディオデータを区別するか又は識別するために提供されるインデックス情報を意味する。広告サーバ３００は、インデックス情報を対応する広告の広告題目、広告主情報、及びコンテンツの内の少なくとも１つと関連づけてインデックス情報を格納することができる。例えば、インデックス情報は、広告をその広告オーディオデータにマッピングするために使用される識別情報を示し、ＳＯＵＮＤ  ＩＤ、広告ＩＤなどのタイプを有し得る。インデックス情報のタイプは、ＳＯＵＮＤ  ＩＤ及び広告ＩＤだけではなく、広告をその広告オーディオデータにマッピングするために使用される情報であればいずれも可能である。
【０１０３】
広告サーバ３００は、ステップ７１８において、ターゲッティング情報及びインデックス情報に対応する広告情報を広告ＤＢ３５０に要請し、ステップ７２０において、ターゲッティング情報及びインデックス情報に対応する広告情報を受信する。他の例において、広告サーバ３００は、広告ＤＢ３５０からターゲッティング情報及びインデックス情報に対応する広告情報を直接検索することにより、対応する広告情報を得ることもできる。
【０１０４】
広告サーバ３００は、ステップ７２２において、広告ＤＢ３５０から受信されるか又は検索された広告情報を移動端末１００に配信する。
【０１０５】
移動端末１００は、広告サーバ３００から広告情報を受信する場合に、ステップ７２６において、広告情報を出力する。例えば、移動端末１００は、受信された広告情報に対応する動画像、写真、テキスト、ウェブサイトアドレス、ＵＲＬ情報、及びアプリケーション情報などを出力することにより、広告情報をユーザに提供する。
【０１０６】
広告情報を提供した後に、移動端末１００は、ステップ７２４において、広告情報をユーザに提供することを課金サーバ４００に通知する。他の例として、広告サーバ３００が広告情報を移動端末１００に提供した後に、広告サーバ３００は、広告情報を移動端末１００に提供することを課金サーバ４００に通知し得る。課金サーバ４００は、ステップ７２８において、予め定められた課金政策に従って移動端末１００の広告提供に対する課金を実行する。このとき、課金サーバ４００は、広告がモーション認識により提供されたか、又はユーザ入力により提供されたかのような提供方式により異なる課金政策に従って課金を実行することができる。
【０１０７】
一方、本発明の第６の実施形態に従って、移動端末１００が個別のオーディオサーバ８００から広告オーディオデータに対応するインデックス情報を受信し、ターゲッティング用データ及びインデックス情報を広告サーバ３００に提供する場合に、広告サーバ３００は、ターゲッティング情報及びインデックス情報に対応する広告情報を移動端末１００に提供する。
【０１０８】
図８は、本発明の第６の実施形態による広告提供方法に対する手順を示す図である。
【０１０９】
図８を参照すると、コンテンツプロバイダー５０は、ステップ８０２において、広告コンテンツを広告媒体１０に提供する。広告媒体１０は、ステップ８０４において、コンテンツプロバイダー５０から提供された広告コンテンツに含まれた広告オーディオを出力する。
【０１１０】
移動端末１００は、ステップ８０６において、広告オーディオ信号に対する広告要請に対応するユーザ入力又はモーションを検出する場合に、広告オーディオを録音し、録音された広告オーディオデータを格納する。
【０１１１】
移動端末１００は、ステップ８０８において、広告サーバ３００とは異なるオーディオサーバ８００に広告オーディオデータを送信する。オーディオサーバ８００は、広告オーディオデータに対応するインデックス情報を格納し、この格納されたインデックス情報を提供できる。移動端末１００は、ステップ８１２において、インデックス情報をオーディオサーバ８００から受信する。
【０１１２】
また、移動端末１００は、ステップ８１４において、ターゲッティング用データを抽出し、ステップ８１６において、この抽出されたターゲッティング用データ及びインデックス情報に対応する広告情報を広告サーバ３００から要請する。
【０１１３】
広告サーバ３００は、ターゲッティング用データ及びインデックス情報に対応する広告情報の要請を受信する場合に、ステップ８１８において、ターゲッティング情報ＤＢ３８０へターゲッティング用データに対応するターゲッティング情報を要請し、ステップ８２０において、ターゲッティング用データに対応するターゲッティング情報をターゲッティング情報ＤＢ３８０から受信する。
【０１１４】
この要請に応じて、ターゲッティング情報ＤＢ３８０は、予め格納されているターゲッティング情報の中でターゲッティング用データ（すなわち、端末情報、ユーザ情報、及び位置情報の中の少なくとも１つ）に対応するターゲッティング情報を抽出し、対応するターゲッティング情報を広告サーバ３００に提供する。
【０１１５】
このとき、端末情報は、移動端末１００のデバイスＩＤ、モデル番号、マニュファクチャラー、ＯＳ情報、ＩＭＥＩ情報（又は端末識別情報）、及びＩＤＦＡ情報（又は端末又はユーザに割り当てられた匿名の番号）の中の少なくとも１つを含み得る。ユーザ情報は、移動端末１００のユーザのユーザ性別、ユーザ年齢、及びユーザアドレスの中の少なくとも１つを含み得る。位置情報は、ＭＡＣアドレス情報、Ｃｅｌｌ−ＩＤ、移動端末１００のＧＰＳ情報の中の少なくともいずれか１つを含み得る。
【０１１６】
広告サーバ３００は、ターゲッティング情報を受信する場合に、ステップ８２２において、ターゲッティング情報及びインデックス情報に対応する広告情報を広告ＤＢ３５０に要請し、ステップ８２４において、ターゲッティング情報及びインデックス情報に対応する広告情報を広告ＤＢ３５０から受信する。他の例において、広告サーバ３００は、広告ＤＢ３５０からターゲッティング情報及びインデックス情報に対応する広告情報を直接検索することにより、対応する広告情報を得ることもできる。
【０１１７】
広告サーバ３００は、ステップ８２６において、広告ＤＢ３５０から受信されるか又は検索された広告情報を移動端末１００に配信する。
【０１１８】
移動端末１００は、広告サーバ３００から広告情報を受信する場合に、ステップ８３０において、広告情報を出力する。例えば、移動端末１００は、受信された広告情報に対応する動画像、写真、テキスト、ウェブサイトアドレス、ＵＲＬ情報、及びアプリケーション情報などを出力することにより、広告情報をユーザに提供する。
【０１１９】
広告情報を提供した後に、移動端末１００は、ステップ８２８において、広告情報をユーザに提供することを課金サーバ４００に通知する。他の例において、広告サーバ３００が広告情報を移動端末１００に提供した後に、広告サーバ３００は、広告情報を移動端末１００に提供することを課金サーバ４００に通知し得る。課金サーバ４００は、ステップ８３２において、予め定められた課金政策に従って移動端末１００の広告提供に対する課金を実行する。このとき、課金サーバ４００は、広告がモーション認識により提供されたか、又はユーザ入力により提供されたかのような提供方式により異なる課金政策に従って課金を実行することができる。
【０１２０】
一方、本発明の第７の実施形態に従って、移動端末１００は、録音しようとするオーディオ信号に関する放送情報を取得し、放送情報を用いて広告オーディオデータに対応するインデックス情報を得ることができる。
【０１２１】
図９は、本発明の第７の実施形態による広告提供方法に対する手順を示す図である。
【０１２２】
図９を参照すると、コンテンツプロバイダー５０は、ステップ９０２において、広告コンテンツを広告媒体１０に提供する。広告媒体１０は、ステップ９０４において、コンテンツプロバイダー５０から提供された広告コンテンツに含まれた広告オーディオを出力する。
【０１２３】
ユーザは、移動端末１００を用いて広告媒体１０から出力される広告コンテンツに関する放送情報を要請できる。ここで使用される用語‘放送情報’は、広告媒体１０を通してどの広告コンテンツが放送されるかを示す情報を意味する。例えば、広告媒体１０がＴＶである場合に、放送情報は、ＴＶプログラムの名称及び放送時間、ＴＶ広告の名称及び放送時間などを含み得る。すなわち、ユーザは、予め定められた放送情報要請を移動端末１００に入力することにより、現在広告媒体１０を通して放送されている広告コンテンツに関する情報を要請できる。予め定められた放送情報要請の入力は、予め定められたモーション又はユーザ入力部を用いた要請の入力を含み得る。
【０１２４】
移動端末１００は、ユーザによる放送情報要請を受信する場合に、ステップ９０６において、個別のオーディオサーバ８００から放送情報を要請し、ステップ９０８において、オーディオサーバ８００から放送情報を受信する。本発明の第７の実施形態では、オーディオサーバ８００が放送情報を提供すると仮定したが、放送情報を有している場合には、コンテンツプロバイダー５０が放送情報を提供してもよく、又は、広告媒体１０が放送情報を提供してもよい。また、個別の放送受信器が放送情報を提供してもよい。予め定められた時間の間の放送情報が提供されてもよく、又は、要請された時間の間の放送情報が提供されてもよい。放送情報を受信する場合に、移動端末１００は、放送情報を出力することにより、ユーザが広告媒体１０から出力される広告コンテンツに含まれた広告オーディオに関する放送情報を認識できるようにする。
【０１２５】
移動端末１００は、ステップ９１０において、広告オーディオを録音し、録音された広告オーディオデータを格納する。移動端末１００は、ステップ９１２において、放送情報の中で録音されたオーディオデータに対応する放送情報及び広告オーディオデータをオーディオサーバ８００に配信する。
【０１２６】
オーディオサーバ８００は、ステップ９１４において、広告オーディオデータ及び放送情報に対応するインデックス情報を抽出し、ステップ９１６において、インデックス情報を移動端末１００に配信する。ここで使用される用語‘インデックス情報’は、ある広告に対応するオーディオデータを区別するか又は識別するために提供されるインデックス情報を意味する。例えば、オーディオサーバ８００により抽出されたインデックス情報は、広告をその放送情報及び広告オーディオデータにマッピングするために使用される識別情報を示し、ＳＯＵＮＤ  ＩＤ、広告ＩＤなどのタイプを有し得る。インデックス情報のタイプは、ＳＯＵＮＤ  ＩＤ及び広告ＩＤだけではなく、広告をその放送情報及び広告オーディオデータにマッピングするために使用される情報であればいずれも可能である。
【０１２７】
移動端末１００は、インデックス情報を受信する場合に、ステップ９１８において、ターゲッティング用データを抽出し、ステップ９２０において、ターゲッティング用データ及びインデックス情報に対応する広告を広告サーバ３００に要請する。
【０１２８】
広告サーバ３００は、ターゲッティング用データ及びインデックス情報に対応する広告情報に対する要請を受信する場合に、ステップ９２２において、ターゲッティング用データに対応するターゲッティング情報をターゲッティング情報ＤＢ３８０から要請し、ステップ９２４において、ターゲッティング用データに対応するターゲッティング情報をターゲッティング情報ＤＢ３８０から受信する。
【０１２９】
この要請に応じて、ターゲッティング情報ＤＢ３８０は、予め格納されているターゲッティング情報の中でターゲッティング用データ（すなわち、端末情報、ユーザ情報、及び位置情報の中の少なくとも１つ）に対応するターゲッティング情報を抽出し、対応するターゲッティング情報を広告サーバ３００に提供する。
【０１３０】
このとき、端末情報は、移動端末１００のデバイスＩＤ、モデル番号、マニュファクチャラー、ＯＳ情報、ＩＭＥＩ情報（又は端末識別情報）、及びＩＤＦＡ情報（又は端末又はユーザに割り当てられた匿名の番号）の中の少なくとも１つを含み得る。ユーザ情報は、移動端末１００のユーザのユーザ性別、ユーザ年齢、及びユーザアドレスの中の少なくとも１つを含み得る。位置情報は、ＭＡＣアドレス情報、Ｃｅｌｌ−ＩＤ、移動端末１００のＧＰＳ情報の中の少なくともいずれか１つを含み得る。
【０１３１】
広告サーバ３００は、ターゲッティング情報を受信する場合に、ステップ９２６において、ターゲッティング情報及びインデックス情報に対応する広告情報を広告ＤＢ３５０へ要請し、ステップ９２８において、ターゲッティング情報及びインデックス情報に対応する広告情報を広告ＤＢ３５０から受信する。他の例において、広告サーバ３００は、広告ＤＢ３５０からターゲッティング情報及びインデックス情報に対応する広告情報を直接検索することにより、対応する広告情報を得ることもできる。
【０１３２】
広告サーバ３００は、ステップ９３０において、広告ＤＢ３５０から受信されるか又は検索された広告情報を移動端末１００に配信する。
【０１３３】
移動端末１００は、広告サーバ３００から広告情報を受信する場合に、ステップ９３４において、広告情報を出力する。例えば、移動端末１００は、受信された広告情報に対応する動画像、写真、テキスト、ウェブサイトアドレス、ＵＲＬ情報、及びアプリケーション情報などを出力することにより、広告情報をユーザに提供する。
【０１３４】
広告情報を提供した後に、移動端末１００は、ステップ９３２において、広告情報をユーザに提供することを課金サーバ４００に通知する。他の例において、広告サーバ３００が広告情報を移動端末１００に提供した後に、広告サーバ３００は、広告情報を移動端末１００に提供することを課金サーバ４００に通知し得る。課金サーバ４００は、ステップ９３６において、予め定められた課金政策に従って移動端末１００の広告提供に対する課金を実行する。このとき、課金サーバ４００は、広告がモーション認識により提供されたか、又はユーザ入力により提供されたかのような提供方式により異なる課金政策に従って課金を実行することができる。
【０１３５】
以下では、上述したような広告を提供するための移動端末１００、広告サーバ３００、広告ＤＢ３５０、及び課金サーバ４００の構造について具体的に説明する。
【０１３６】
図１０は、本発明の実施形態による広告サーバ３００、広告ＤＢ３５０、及び課金サーバ４００の構造を示す図である。
【０１３７】
図１０を参照すると、広告ＤＢ３５０は、少なくとも１つ以上の広告主８００が広告することを希望する広告に関する広告情報を格納する。広告情報は、広告データ３５２（例えば、各広告のコンテンツを表現するために使用される動画像、写真、テキスト、ウェブサイトアドレス、ＵＲＬ情報、及びアプリケーション情報）と、広告別カテゴリー３５４と、広告別キーワード３５８と、広告別キーワードに対する類似キーワード及び推薦キーワード３５６とを含む。広告ＤＢ３５０は、キーワードに対応する広告データを広告サーバ３００に提供するか、又は、キーワードに対応する広告データがない場合に、広告ＤＢ３５０は、キーワードが属する広告カテゴリーに対応する類似キーワードを広告サーバ３００に提供する。
【０１３８】
広告サーバ３００は、広告オーディオデータを移動端末１００から受信し、広告オーディオデータに対する広告情報を提供する。広告サーバ３００は、ユーザ管理部３１２、送受信部３１４、オーディオデータ−テキスト変換部３１６、キーワード抽出部３１８、広告情報提供部３２０、ＤＢ管理部３２２、マッチング情報ＤＢ３２４、オーディオファイルＤＢ３２６、キーワードマッチングＤＢ３２８、広告音源抽出部３３２、インデックス情報抽出部３３４、及びターゲッティング情報抽出部３３６を含む。
【０１３９】
ユーザ管理部３１２は、移動端末１００のユーザのユーザ情報を管理し、アクセス情報を管理し、移動端末１００のユーザによるアクセスをモニタリングし、移動端末１００のユーザにより使用される広告情報を管理する。送受信部３１４は、移動端末１００から広告オーディオデータを受信し、広告オーディオデータに対応する広告情報を移動端末１００に送信する。
【０１４０】
オーディオファイルＤＢ３２６は、受信された広告オーディオデータをファイルに格納する。キーワードマッチングＤＢ３２８は、広告オーディオデータから抽出されたキーワードにマッチングされたキーワードを格納する。マッチング情報ＤＢ３２４は、予めマッチングされているキーワード情報を格納する。
【０１４１】
ＤＢ管理部３２２は、オーディオファイルＤＢ３２６、キーワードマッチングＤＢ３２８、及びマッチング情報ＤＢ３２４内の情報の格納を管理し、格納された情報の出力を管理する。
【０１４２】
広告情報提供部３２０は、キーワード抽出部３１８により抽出されたキーワードにマッチングされるキーワードを用いて広告ＤＢ３５０へキーワードに対応する広告情報の検索を要請し、検索された広告情報を受信し、受信した広告情報を送受信部３１４を通して移動端末１００に送信する。広告情報提供部３２０は、広告音源抽出部３３２により抽出された広告音源に対応する広告情報を検索する。広告情報提供部３２０は、インデックス情報抽出部３３４により抽出されたインデックス情報に対応する広告情報を検索する。また、広告情報提供部３２０は、ターゲッティング情報抽出部３３６により抽出されたターゲッティング情報に対応する広告情報を検索する。広告情報提供部３２０は、移動端末１００への広告情報の送信を課金サーバ４００に通知する。
【０１４３】
広告音源抽出部３３２は、広告オーディオデータに対応する広告音源を広告音源ＤＢ３６０から抽出し、抽出された広告音源を広告情報提供部３２０に提供する。
【０１４４】
インデックス情報抽出部３３４は、広告オーディオデータに対応するインデックス情報をインデックス情報ＤＢ３７０から抽出し、抽出されたインデックス情報を広告情報提供部３２０に提供する。
【０１４５】
ターゲッティング情報抽出部３３６は、ターゲッティング用データを用いてターゲッティング情報をターゲッティング情報ＤＢ３８０から抽出し、抽出されたターゲッティング情報を広告情報提供部３２０に提供する。
【０１４６】
課金サーバ４００は、課金政策管理部４１２及び課金処理部４１４を含む。課金政策管理部４１２は、移動端末１００のモーション認識により提供される各広告に対する課金政策を格納する。このとき、課金政策管理部４１２は、広告がモーション認識により提供されたか、又はユーザ入力により提供されたかにより異なる課金政策を格納する。課金処理部４１４は、広告情報を受信すると、課金政策管理部４１２の課金政策に従って課金を処理する。例えば、本発明の実施形態に従って、モーションが発生するに従って課金が行われ、多くの広告主は、所望するキーワードを購入するために、競売方式を介してより大きな広告金額を割り当て得る。また、ユーザが広告を視聴するか又は聴取する間に、どのくらいの頻度で広告を要請したかを測定でき、これにより、モーション認識に基づく広告効果を測定できる。広告効果の測定は、例えば、ユーザがモーション認識を介して広告を受信した回数の測定、又はユーザが広告を受信した後に広告による購入回数の測定を意味する。
【０１４７】
図１１は、本発明の実施形態による広告を提供するための移動端末１００の構造を示す図である。
【０１４８】
図１１を参照すると、移動端末１００は、ユーザ入力部１１０、オーディオ処理部１２０、送受信部１３０、モーション認識部１４０、格納部１５０、制御部１６０、及び表示部１７０を含む。
【０１４９】
ユーザ入力部１１０は、各種数字、文字、及び記号などを入力し、各種ユーザ命令を入力するために使用される複数のキーの組み合わせを含むキーパッド又はタッチスクリーンを有する。本発明の実施形態に従って、ユーザ入力部１１０は、ユーザからの広告アプリケーション実行要請又はオーディオ録音要請を受信し、この要請を制御部１６０に転送する。
【０１５０】
オーディオ処理部１２０は、制御部１６０の制御の下に、マイクロフォン１３２から広告オーディオ信号を受信し、受信した広告オーディオ信号を録音し、録音された広告オーディオ信号を広告オーディオデータに変換する。
【０１５１】
制御部１６０の制御の下に、送受信部１３０は、有無線通信を実行し、広告オーディオデータを広告サーバ３００に送信し、広告サーバ３００から広告オーディオデータに対応する広告情報を受信する。
【０１５２】
モーション認識部１４０は、移動端末１００のモーションを感知するためのモーションセンサを含み、モーションセンサにより感知された移動端末１００のモーションを認識する。このとき、モーション認識部１４０は、感知されたモーションが予め定められたモーションに対応するか否かを判定する。感知されたモーションが予め定められたモーションに対応する場合に、モーション認識部１４０は、モーション感知情報を制御部１６０に提供する。例えば、予め定められたモーションは、広告オーディオデータの送信に対応して予め定められたモーションであり得、又は広告要請の入力に対応して予め定められたモーションであり得る。
【０１５３】
格納部１５０は、フラッシュメモリ、ハードディスクなどで具現される不揮発性メモリを含み得、移動端末１００の動作の制御に必要なデータ又はプログラムを格納する。本発明の実施形態に従って、格納部１５０は、ＤＢ管理部１５２、オーディオデータＤＢ１５４、及びユーザデータＤＢ１５６を含む。ＤＢ管理部１５２は、オーディオデータＤＢ１５４及びユーザデータＤＢ１５６の入出力及びデータの格納を管理する。オーディオデータＤＢ１５４は、マイクロフォン１３２による広告オーディオデータを格納する。ユーザデータＤＢ１５６は、ユーザ又は移動端末１００の識別のための基本的なユーザ情報、例えば、ユーザの個人情報及び移動端末ＩＤを格納する。
【０１５４】
制御部１６０は、移動端末１００の全般的な動作を制御する。本発明の実施形態に従って、ユーザ入力部１１０からの要請（例えば、広告アプリケーション実行要請又はオーディオ録音要請）を受信する場合に、制御部１６０は、広告オーディオ信号を録音し、その広告オーディオデータを格納するようにオーディオ処理部１２０を制御する。このとき、予め定められたモーションがモーション認識部１４０により感知される場合に、制御部１６０は、広告オーディオ信号を録音し、その広告オーディオデータを格納するようにオーディオ処理部１２０を制御することもできる。具体的に、例えば、制御部１６０は、待機画面状態で予め定められたモーションが認識されるか否かを判定することができる。予め定められたモーションが認識される場合に、制御部１６０は、広告を提供するための広告アプリケーションを実行することにより広告オーディオ信号を録音することができる。他の例において、制御部１６０は、広告アプリケーションが実行されている間に、予め定められたモーションが認識されるか否かを判定することができる。予め定められたモーションが認識される場合に、制御部１６０は、広告オーディオ信号を録音することができる。もう１つの例において、制御部１６０は、例えば、キー入力又はタッチ入力のようなユーザ入力により広告アプリケーションを実行することにより予め定められたモーションが認識されるか否かを判定することができる。予め定められたモーションが認識される場合に、制御部１６０は、広告オーディオ信号を録音することができる。
【０１５５】
制御部１６０は、録音された広告オーディオ信号を格納し、格納されたオーディオデータを広告サーバ３００に送信するか、又はオーディオデータ及びターゲッティング用データを広告サーバ３００に送信するように送受信部１３０を制御する。制御部１６０は、広告情報を受信する場合に受信した広告情報を出力する。
【０１５６】
表示部１７０は、液晶ディスプレイ（ＬＣＤ）、有機エレクトロルミネッセンスディスプレイ（ＯＥＬＤ）などとして具現され得る。制御部１６０の制御の下に、表示部１７０は、広告サーバ３００から受信した広告情報を表示する。
【０１５７】
図１２は、本発明の実施形態による移動端末１００の動作を示すフローチャートである。
【０１５８】
図１２を参照すると、移動端末１００は、ステップ６０２において、予め定められたモーションが認識されるか否かを判定する。例えば、ユーザは、ＴＶ、ＰＣ、及びラジオのような広告媒体を介して提供されるオーディオ信号が含む広告を視聴しているか又は聴取している間に、聴取中の広告に関する広告情報を受信するためのモーションを実行し得る。
【０１５９】
１つの例において、移動端末１００は、待機画面状態でユーザの動作により予め定められたモーションを認識できる。他の例において、移動端末１００は、広告アプリケーションが実行されている間に、ユーザの動作により予め定められたモーションを認識できる。もう１つの例において、移動端末１００は、例えば、キー入力又はタッチ入力のようなユーザ入力により広告アプリケーションを実行することにより、ユーザの入力により広告アプリケーションを認識することができる。
【０１６０】
一方、本発明の実施形態では、移動端末１００がモーションが認識されるか否かを判定すると仮定したが、移動端末１００は、例えば、タッチ入力及びキー入力のようなユーザ入力があるか否かを判定することもできる。
【０１６１】
移動端末１００は、予め定められたモーションを感知する場合に、ステップ６０４において、広告オーディオ信号を録音し、録音された広告オーディオ信号を広告オーディオデータに変換し、この広告オーディオデータを格納する。
【０１６２】
図１３Ａは、本発明の実施形態による移動端末におけるユーザの要請により広告オーディオ信号を録音する例を示す図である。
【０１６３】
図１３Ａを参照すると、広告媒体１０、例えば、ＴＶで‘ＸＸ’車に対して‘燃費の良いＸＸ車’のような広告オーディオ信号を含む広告が提供されている間に、予め定められたモーションが認識される場合に、移動端末１００は、広告オーディオ信号を録音し、この広告オーディオ信号を広告オーディオデータに変換し、この広告オーディオデータを格納する。
【０１６４】
図１２に戻って、移動端末１００は、ステップ６０６において、広告オーディオデータを広告サーバ３００に送信するか、又は広告オーディオデータ及びターゲッティング用データを広告サーバ３００に送信する。
【０１６５】
移動端末１００は、ステップ６０８において、広告オーディオデータに対応する広告情報又は広告オーディオデータ及びターゲッティング用データに対応する広告情報が広告サーバ３００から受信されるか否かを判定する。広告情報が受信されない場合に、移動端末１００は、ステップ６１０において、この判定の再試みをユーザに要請した後に、ステップ６０８に戻る。
【０１６６】
しかしながら、移動端末１００は、広告情報を受信する場合には、ステップ６１２において、受信された広告情報を出力する。
【０１６７】
図１３Ｂは、本発明の実施形態による移動端末における広告情報を出力する例を示す図である。
【０１６８】
図１３Ｂを参照すると、移動端末１００は、受信された広告情報に対応する動画像、写真、テキスト、ウェブサイト、ＵＲＬ情報、及びアプリケーション情報などを表示部１７０を介して表示し得る。
【０１６９】
上述したような説明から分かるように、本発明の実施形態に従って、ＴＶ、ＰＣ、及びラジオのような媒体を介して広告を聴取する間に、ユーザは、広告に含まれたオーディオ信号を用いて対応する広告情報を移動端末１００を介して便利に受信することができる。また、広告代理店は、既存のユーザのクリッキング又はタッチングの代わりに、ユーザが移動端末１００を振っているか、又は動かしていることを認識するモーション認識という新たな方式を既存の広告アクセス方式に導入することにより、新たな広告ビジネスが可能であり、それに従う広告収益創出が可能であるという効果がある。
【０１７０】
本発明の実施形態では、オーディオデータからのキーワード検出が広告サーバで実行されると説明したが、オーディオデータからのキーワード検出は、移動端末でも実行されることができる。また、本発明の実施形態では、広告媒体がＴＶ、ＰＣ、又はラジオを含むと説明したが、広告媒体は、オーディオ信号を介した広告が可能な広告媒体であればいずれも可能である。
【０１７１】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【０１７２】
１０  広告媒体
５０  コンテンツプロバイダー
１００  移動端末
１１０  ユーザ入力部
１２０  オーディオ処理部
１３０  送受信部
１３２  マイクロフォン
１４０  モーション認識部
１５０  通信ネットワーク
１５２  ＤＢ管理部
１５４  オーディオデータＤＢ
１５６  ユーザデータＤＢ
１６０  制御部
１７０  表示部
３００  広告サーバ
３１２  ユーザ管理部
３１４  送受信部
３１６  オーディオデータ−テキスト変換部
３１８  キーワード抽出部
３２０  広告情報提供部
３２２  ＤＢ管理部
３３２  広告音源抽出部
３３４  インデックス情報抽出部
３３６  ターゲッティング情報抽出部
３５０  広告ＤＢ
３５２  広告データ
３５４  広告別カテゴリー
３５６  類似キーワード及び推薦キーワード
３５８  広告別キーワード
３６０  広告音源ＤＢ
３７０  インデックス情報ＤＢ
３８０  ターゲッティング情報ＤＢ
４００  課金サーバ
４１２  課金政策管理部
４１４  課金処理部
５００  広告主
８００  オーディオサーバ
【図１】
2015507784.tif 000003
【図２】
2015507784.tif 000004
【図３】
2015507784.tif 000005
【図４】
2015507784.tif 000006
【図５】
2015507784.tif 000007
【図６】
2015507784.tif 000008
【図７】
2015507784.tif 000009
【図８】
2015507784.tif 000010
【図９】
2015507784.tif 000011
【図１０】
2015507784.tif 000012
【図１１】
2015507784.tif 000013
【図１２】
2015507784.tif 000014
【図１３Ａ】
2015507784.tif 000015
【図１３Ｂ】
2015507784.tif 000016
【国際調査報告】
2015507784.tif 000017
2015507784.tif 000018